(57)【要約】【課題】笠木部材を固定するための笠木取付部材について、設置個数を抑えることが可能な新規な構造を提案する。【解決手段】笠木部材３を躯体２１（パラペット２）などの被固定体に固定するための笠木取付部材６０であって、前記笠木取付部材６０は、前記笠木部材３に設けられる束部材４の前記被固定体に対する固定を補強するための補強部材５０（図２）が載置され得る構成とする。前記笠木取付部材６０は、前記笠木部材３に前記束部材４が設けられる場合において、前記補強部材５０が載置された状態で前記笠木部材３が固定される構成とするとともに、前記笠木部材３に前記束部材４が設けられない場合において、前記補強部材５０が載置されずに前記笠木部材３が固定される構成とする。【選択図】図２
2012140792.tif 000002
【特許請求の範囲】
【請求項１】
笠木部材を被固定体に固定するための笠木取付部材であって、
前記笠木取付部材は、
前記笠木部材に設けられる束部材の前記被固定体に対する固定を補強するための補強部材が載置され得る構成とする、
笠木取付部材。
【請求項２】
前記笠木取付部材は、
前記笠木部材に前記束部材が設けられる場合において、
前記補強部材が載置された状態で前記笠木部材が固定される、
或いは、
前記補強部材が載置されずに前記笠木部材が固定される、ことを選択的に可能とする構成とするとともに、
前記笠木部材に前記束部材が設けられない場合において、
前記補強部材が載置されずに前記笠木部材が固定される構成とする、
ことを特徴とする請求項１に記載の笠木取付部材。
【請求項３】
笠木部材を被固定体に固定するための笠木取付部材であって、
前記笠木取付部材は、
前記笠木部材の前記被固定体に対する固定を補強するための補強用部位が一体的に設けられる構成とする、
笠木取付部材。
【請求項４】
前記笠木取付部材は、
前記笠木部材に対し、前記笠木部材の幅方向にテンションを付与し得る構成とする、
ことを特徴とする請求項１乃至請求項３のいずれか一項に記載の笠木取付部材。
【請求項５】
前記笠木取付部材は、
前記被固定体に設置されるベース部と、
前記ベース部の幅方向の中途部に設けられる立設部と、
前記ベース部において前記立設部の両側において、前記立設部と間隔を開けて設けられる側部係合部と、
を有する構成とし、
前記立設部が前記笠木部材の裏側天面に当接することにより、前記笠木部材の幅方向中途部に上向き荷重が付与され、
前記側部係合部が前記笠木部材の突条部に係合することにより、前記笠木部材の幅方向側部に下向き荷重が付与される、
ことを特徴とする請求項１乃至請求項４のいずれか一項に記載の笠木取付部材。
【請求項６】
笠木部材を被固定体に固定するための笠木部材の固定構造であって、
前記笠木部材は、前記被固定体に固定される笠木取付部材に固定されるものであって、
前記笠木部材に手摺を横架するための束部材が設けられる場合に、
前記束部材に作用する荷重を、笠木取付部材に伝達するための補強部材が設けられる、
或いは、
前記笠木部材に手摺を横架するための束部材が設けられる場合であっても、
前記補強部材が設けられない、
ことを選択的に可能とする構成とする、
笠木部材の固定構造。
【請求項７】
前記笠木取付部材は、
前記笠木部材に対し、前記笠木部材の幅方向にテンションを付与し得る構成とする、
ことを特徴とする請求項６に記載の笠木部材の固定構造。
【請求項８】
前記笠木取付部材は、
前記被固定体に設置されるベース部と、
前記ベース部の幅方向の中途部に設けられる立設部と、
前記ベース部において前記立設部の両側において、前記立設部と間隔を開けて設けられる側部係合部と、
を有する構成とし、
前記立設部が前記笠木部材の裏側天面に当接することにより、前記笠木部材の幅方向中途部に上向き荷重が付与され、
前記側部係合部が前記笠木部材の突条部に係合することにより、前記笠木部材の幅方向側部に下向き荷重が付与される、
ことを特徴とする請求項６又は請求項７に記載の笠木部材の固定構造。
【発明の詳細な説明】
【技術分野】
【０００１】
本発明は、バルコニーや建物の屋上などに形成されるパラペットの上縁などに設けられる笠木や手摺に関するものであり、より詳しくは、笠木を固定するための笠木取付部材に関するものである。
【背景技術】
【０００２】
従来、バルコニーや建物の屋上などのパラペット（立ち上がり壁部分）の上縁や、階段の壁部分の上縁などにおいて、下地材に長尺の笠木部材を設ける構成や、この笠木部材の上方に束部材を立ち上げるとともに、束部材の上端部などに手摺部材を設ける構成が知られている（例えば、特許文献１参照）。
【０００３】
特許文献１では、笠木部材の下面において束部材（支柱）の直下位置に、その下面がパラペット（建物立ち上がり部）の上面に当接する補強金具を固定する形態について開示されている。この形態によれば、束部材の起立強度が向上するとともに、束部材の前後及び左右方向の負荷に対する支持強度が向上することとされている。
【０００４】
また、特許文献１では、笠木部材が笠木取付部材（笠木取付け金具）を介してパラペットに固定される形態について開示がされている。この笠木取付部材は、笠木部材の長手方向において、補強金具の両側二箇所に配置されることが開示されている。
【先行技術文献】
【特許文献】
【０００５】
【特許文献１】特許第４５２７４８２号明細書
【発明の概要】
【発明が解決しようとする課題】
【０００６】
他方、パラペットなどの上縁において、その上端面のスペース（面積）は限られていることから、笠木部材を固定するための笠木取付部材の設置個数をできるだけ抑えたいという要望があった。また、設置個数を抑えることは、部品点数の削減、ひいては、コストの削減につながるため、重要な課題としてその解決が期待されるものであった。
【０００７】
ただし、設置個数を抑えた場合であっても、笠木部材や束部材を支持するための強度は維持する必要がある。つまり、設置個数の削減と強度維持の両立を図る必要があり、上記の課題の解決は容易なことではなかった。
【０００８】
また、パラペットなどの上縁に設置される笠木部材については、特許文献１のように束部材（支柱）が笠木部材から立設され、束部材の上端部に手摺部材が横架される形態のほかにも、束部材が立設されずに、笠木部材のみがパラペットの上縁に設置される形態もある。例えば、パラペットにて形成される壁の高さが高いバルコニーにおいて、手摺を設けずに、パラペットの上縁に笠木部材のみを設置する形態である。
【０００９】
このように、手摺を設けずに、笠木部材のみが設置される形態の場合には、束部材も不要となることから、特許文献１に開示される補強金具は不要となる。しかし、特許文献１に開示される形態では、補強金具を用いることを前提とした構成であるため、笠木部材のみが設置される形態においても、笠木取付部材は同じように配置されることとなり、上記の課題は残されたままとなる。
【００１０】
本発明は、以上の課題の解決を図ることを目的とするものである。
即ち、笠木部材を固定するための笠木取付部材について、設置個数を抑えることが可能な新規な構造を提案するものである。
【００１１】
また、他の課題として、笠木部材を固定するための笠木取付部材について、笠木部材に束部材及び手摺が設けられる形態と、設けられない形態、の両方の形態に対応可能な新規な構造を提案するものである。
【００１２】
また、他の課題として、笠木部材を固定するための笠木取付部材について、笠木取付部材の設置個数を少なくした場合であっても、笠木部材などの支持強度を確保できる新規な構造を提案するものである。
【課題を解決するための手段】
【００１３】
本発明の解決しようとする課題は以上の如くであり、次にこの課題を解決するための手段を説明する。
【００１４】
即ち、請求項１に記載のごとく、
笠木部材を被固定体に固定するための笠木取付部材であって、
前記笠木取付部材は、
前記笠木部材に設けられる束部材の前記被固定体に対する固定を補強するための補強部材が載置され得る構成とする、
ものである。
【００１５】
また、請求項２に記載のごとく、
前記笠木取付部材は、
前記笠木部材に前記束部材が設けられる場合において、
前記補強部材が載置された状態で前記笠木部材が固定される、
或いは、
前記補強部材が載置されずに前記笠木部材が固定される、ことを選択的に可能とする構成とするとともに、
前記笠木部材に前記束部材が設けられない場合において、
前記補強部材が載置されずに前記笠木部材が固定される構成とする、
こととするものである。
【００１６】
また、請求項３に記載のごとく、
笠木部材を被固定体に固定するための笠木取付部材であって、
前記笠木取付部材は、
前記笠木部材の前記被固定体に対する固定を補強するための補強用部位が一体的に設けられる構成とする、
ものである。
【００１７】
また、請求項４に記載のごとく、
前記笠木取付部材は、
前記笠木部材に対し、前記笠木部材の幅方向にテンションを付与し得る構成とする、
ものである。
【００１８】
また、請求項５に記載のごとく、
前記笠木取付部材は、
前記被固定体に設置されるベース部と、
前記ベース部の幅方向の中途部に設けられる立設部と、
前記ベース部において前記立設部の両側において、前記立設部と間隔を開けて設けられる側部係合部と、
を有する構成とし、
前記立設部が前記笠木部材の裏側天面に当接することにより、前記笠木部材の幅方向中途部に上向き荷重が付与され、
前記側部係合部が前記笠木部材の突条部に係合することにより、前記笠木部材の幅方向側部に下向き荷重が付与される、
こととするものである。
【００１９】
また、請求項６に記載のごとく、
笠木部材を被固定体に固定するための笠木部材の固定構造であって、
前記笠木部材は、前記被固定体に固定される笠木取付部材に固定されるものであって、
前記笠木部材に手摺を横架するための束部材が設けられる場合に、
前記束部材に作用する荷重を、笠木取付部材に伝達するための補強部材が設けられる、
或いは、
前記笠木部材に手摺を横架するための束部材が設けられる場合であっても、
前記補強部材が設けられない、
ことを選択的に可能とする構成とする、
こととするものである。
【００２０】
また、請求項７に記載のごとく、
前記笠木取付部材は、
前記笠木部材に対し、前記笠木部材の幅方向にテンションを付与し得る構成とする、
ものである。
【００２１】
また、請求項８に記載のごとく、
前記笠木取付部材は、
前記被固定体に設置されるベース部と、
前記ベース部の幅方向の中途部に設けられる立設部と、
前記ベース部において前記立設部の両側において、前記立設部と間隔を開けて設けられる側部係合部と、
を有する構成とし、
前記立設部が前記笠木部材の裏側天面に当接することにより、前記笠木部材の幅方向中途部に上向き荷重が付与され、
前記側部係合部が前記笠木部材の突条部に係合することにより、前記笠木部材の幅方向側部に下向き荷重が付与される、
こととするものである。
【発明の効果】
【００２２】
本発明の効果として、以下に示すような効果を奏する。
【００２３】
即ち、請求項１に記載の発明においては、
笠木取付部材と補強部材を同じ箇所に設けることが可能となる、つまりは、笠木部材の長手方向において両者をずらした位置に配置する必要が無くなるため、補強部材の両側に笠木取付部材を設置する形態と比較して、笠木取付部材の設置個数を抑えることが可能となる。
【００２４】
また、請求項２に記載の発明においては、
笠木部材に束部材や手摺が設けられる形態と、設けられない形態、の両方の形態に対応可能な笠木取付部材を実現することができる。
【００２５】
また、請求項３に記載の発明においては、
笠木取付部材と補強用部位を同じ箇所に設けることが可能となる、つまりは、笠木部材の長手方向において両者をずらした位置に配置する必要が無くなるため、補強部材の両側に笠木取付部材を設置する形態と比較して、笠木取付部材の設置個数を抑えることが可能となる。
【００２６】
また、請求項４に記載の発明においては、
外部から受ける荷重による笠木部材の撓み変形が抑制されることになる。また、笠木取付部材と笠木部材の間でのズレの発生が規制され、笠木取付部材に対して笠木部材が、所謂遊びの無い状態で固定された状態とすることができる。そして、手摺が設けられる場合には、束部材の傾きが規制され、正立状態がしっかりと維持されるため、パラペットの上縁部において、全体として剛性の強い手摺を実現することが可能となり、需要者にとって、強い安心感を与えることが可能な手摺を提供することが可能となる。また、笠木部材の変形や束部材の傾きが抑制されるため、耐久性を向上させることが可能となり、ひいては、耐用年数の増加によってエコロジーな構成を実現することが可能となる。また、手摺が設けられない場合においても、需要者が直接的に笠木部材に手を触れることが想定され、笠木部材に直接的に力が作用することになるが、この際に、笠木部材の変形やズレの発生が抑制されるため、需要者に強い安心感を与えることが可能となる。
【００２７】
また、請求項５に記載の発明においては、
前記笠木部材に対し、前記笠木部材の幅方向にテンションを付与することが可能となって、外部から受ける荷重による笠木部材の撓み変形が抑制されることになる。
【００２８】
また、請求項６に記載の発明においては、
前記束部材に作用する荷重を、前記補強部材及び笠木取付部材を介して、躯体（パラペット）に対して確実に伝達させることができる。そして、これにより、束部材の基端部が躯体（パラペット）に対してしっかりと支持されることになり、束部材の傾きを抑制することが可能となる。このようにして、補強部材によって、束部材の躯体（パラペット）に対する固定を補強することが可能となる。また、手摺や束部材が設けられない場合には、補強部材を使用しないこととすることで、笠木部材の固定において使用する部品点数を少なくすることができる。
【００２９】
また、請求項７に記載の発明においては、
外部から受ける荷重による笠木部材の撓み変形が抑制されることになる。また、笠木取付部材と笠木部材の間でのズレの発生が規制され、笠木取付部材に対して笠木部材が、所謂遊びの無い状態で固定された状態とすることができる。そして、手摺が設けられる場合には、束部材の傾きが規制され、正立状態がしっかりと維持されるため、パラペットの上縁部において、全体として剛性の強い手摺を実現することが可能となり、需要者にとって、強い安心感を与えることが可能な手摺を提供することが可能となる。また、笠木部材の変形や束部材の傾きが抑制されるため、耐久性を向上させることが可能となり、ひいては、耐用年数の増加によってエコロジーな構成を実現することが可能となる。また、手摺が設けられない場合においても、需要者が直接的に笠木部材に手を触れることが想定され、笠木部材に直接的に力が作用することになるが、この際に、笠木部材の変形やズレの発生が抑制されるため、需要者に強い安心感を与えることが可能となる。
【００３０】
また、請求項８に記載の発明においては、
前記笠木部材に対し、前記笠木部材の幅方向にテンションを付与することが可能となって、外部から受ける荷重による笠木部材の撓み変形が抑制されることになる。
【図面の簡単な説明】
【００３１】
【図１】（ａ）は本発明が適用し得るバルコニーの例について示す図。（ｂ）は本発明が適用し得るバルコニーの他の例について示す図。
【図２】笠木取付部材、及び、補強部材の配置について示す図。
【図３】笠木取付部材や補強部材などの各部品について示す分解図。
【図４】笠木部材を笠木取付部材に固定した状態について示す断面図。
【図５】（ａ）は笠木部材に作用する荷重と、笠木部材にテンションがかけられる状況について示す図。（ｂ）は補強部材を用いない場合において、笠木部材に作用する荷重と、笠木部材にテンションがかけられる状況について示す図。
【図６】（ａ）は笠木部材の別の実施形態について示す図。（ｂ）は笠木部材のさらに別の実施形態について示す図。
【図７】補強部材の機能を笠木取付部材に一体的に設ける構成例について説明する図。
【発明を実施するための形態】
【００３２】
次に、発明の実施の形態について図面を用いて説明する。
図１（ａ）に示す例では、バルコニー１の壁面を構成するパラペット２の上縁部に笠木部材３が設けられており、この笠木部材３から立ち上げられる束部材４・４の上端部に手摺部材５が横架される。笠木部材３は所定の長さを有する長尺の部材であって、継目部６・６において連設されることで、パラペット２の上縁部を連続的に覆うこととしている。なお、笠木部材３は、コーピングとも称されるものである。
【００３３】
また、図１（ｂ）に示す例では、束部材や手摺部材が設けられずに、パラペット２の上縁部に笠木部材３のみが設けられる形態としている。このように、笠木部材３のみが設けられる形態についても、本発明を実施することは可能である。さらに、このほか、建物屋上の壁（パラペット）の上縁部や、屋外階段の壁（パラペット）の上縁部など、さまざまな箇所に本発明は適用可能とするものである。
【００３４】
また、図２は、以上に説明したバルコニーなどに構成されるパラペット２の上縁部の部位について説明するものである。この例のパラペット２の上縁部には、長尺の躯体２１が設けられており、この躯体２１の上面２２には、笠木部材３を固定するための笠木取付部材６０が設置されている。なお、躯体２１は、笠木取付部材６０、及び、笠木部材３が固定される対象となる被固定体であり、木材や金属などの長尺部材のほか、コンクリート壁などの壁（パラペット）を構成するものが想定される。
【００３５】
また、図２に示す笠木取付部材６０の例では、躯体２１の上面２２に付設されるベース部６１と、ベース部６１の幅方向中途部（図の例では略中央部）に設けられる立設部６２と、ベース部６１において立設部６２の両側に、立設部６２と間隔を開けて設けられる側部係合部６３・６４と、を有する構成としている。なお、立設部６２や側部係合部６３・６４については、突条部にて構成するほか、突起部にて構成することなども考えられる。また、立設部６２については、一つだけ設けるほか、複数設ける構成とすることなども考えられる。
【００３６】
また、図２に示すごとく、ベース部６１は、パラペット２の厚み方向Ｄ（壁の厚み方向、躯体２１の横幅方向）を幅方向とし、幅寸法Ｗ１を有することとしている。また、ベース部６１は、パラペット２の長手方向Ｈ（壁の幅方向、躯体２１の長手方向）を長さ方向とし、長さ寸法Ｈ１を有することとしている。また、立設部６２、及び、側部係合部６３・６４は、ベース部６１の長さ方向に長い突条部で構成される。
【００３７】
また、図２に示すごとく、ベース部６１において、立設部６２と側部係合部６３の間、及び、立設部６２と側部係合部６３の間の位置には、それぞれ、上下方向に貫通孔６６・６６が形設されており、各貫通孔６６・６６には、上方からボルトなどの固定具６５・６５が挿入されるとともに、固定具６５・６５が躯体２１に締結されることにより、笠木取付部材６０が躯体２１に対して固定される。
【００３８】
また、図２に示す例では、笠木部材３に束部材４が立ち上げられる構成としており、笠木部材３の上面と束部材４の下部の間にはスペーサー４１が介挿されるようになっている。また、笠木部材３の裏側において、スペーサー４１に対応する位置に補強部材５０を位置させるとともに、補強部材５０とスペーサー４１の間に笠木部材３を挟むようにし、固定具５５・５５によってこれらの部材を一体化させる。また、補強部材５０と笠木部材３には、固定具５５・５５を挿通させるための貫通孔５６・３０がそれぞれ上下方向に形成されており、これら貫通孔５６・３０について、補強部材５０の下方から固定具５５・５５を挿通させることで、固定具５５・５５がスペーサー４１、及び、束部材４に対して締結される。
【００３９】
また、図２に示すごとく、補強部材５０は、図示せぬ手摺部材を横架するための束部材４が設けられる場合について、笠木取付部材６０とともに設けられることとしている。補強部材５０は、板面部５１と、この板面部５１の両側端部から下方に垂下される脚部５３・５４と、を有する構成としている。また、板面部５１は、笠木取付部材６０の長さ方向に長い長孔で構成される貫通孔部５２が形成されており、この貫通孔部５２に対し、笠木取付部材６０の立設部６２が挿通され得るようになっている。また、脚部５３・５４は、笠木取付部材６０の長さ方向に長い壁状部位にて構成されており、それぞれ、立設部６２と側部係合部６３の間、立設部６２と側部係合部６３の間に設置され得るようになっている。
【００４０】
また、図３及び図４は、笠木取付部材６０と補強部材５０の断面構造について示すものである。
図３及び図４に示すごとく、笠木取付部材６０のベース部６１の幅寸法Ｗ１は、笠木部材３の幅寸法Ｗ３よりも狭く構成され、笠木部材３によって覆い被されるようになっている。また、ベース部６１は、躯体２１の上面２２に設置されるとともに、貫通孔６６・６６に挿通される固定具６５・６５によって躯体２１に固定される。また、笠木部材３の裏側に補強部材５０が、表側にスペーサー４１、及び、束部材４が配置され、これらが固定具５５・５５によって一体化される。
【００４１】
また、図３に示すごとく、笠木部材３の裏側には、笠木部材３の長手方向に長い突条部３３・３４が垂設されている。この突条部３３・３４の下端に設けた係合部３３ａ・３４ａは、それぞれ、側部係合部６３・６４の側部に設けられる係合凹部６３ａ・６４ａに係合し得る構成としている。これにより、図４に示すごとく、笠木取付部材６０の上方から笠木部材３に押し付けると、突条部３３・３４の係合部３３ａ・３４ａが、側部係合部６３・６４の係合凹部６３ａ・６４ａに嵌入され、笠木部材３が笠木取付部材６０に固定される状態となる。
【００４２】
また、図３に示すごとく、笠木取付部材６０の側部係合部６３・６４の上部は、笠木取付部材６０の幅方向の中央部から外側に向かって低くなる傾斜面部６３ｂ・６４ｂにて構成される。これにより、笠木部材３を固定する際においては、笠木取付部材６０は笠木部材３の裏側に配置されるため、側部係合部６３・６４に対する突条部３３・３４の位置あわせが目視し難い状況となるが、笠木取付部材６０がこの傾斜面部６３ｂ・６４ｂの上面をすべるようにして、突条部３３・３４が案内されるため、目視がし難い状況であっても、固定作業を容易に行えることになる。
【００４３】
また、図３及び図４に示すごとく、笠木取付部材６０の側部係合部６３・６４の基端部には、それぞれ、笠木取付部材６０の幅方向の中央部から外側に向かう向きに突条部６３ｃ・６４ｃが設けられている。これにより、笠木部材３に大きな荷重が作用し、傾いてしまいそうな状況になった場合であっても、下側から突条部６３ｃ・６４ｃが笠木部材３の突条部３３・３４を支えることが可能となり、笠木部材３の傾きの発生を抑制することが可能となる。
【００４４】
また、図４に示すごとく、笠木取付部材６０に対し笠木部材３を固定した状態において、補強部材５０の脚部５３・５４が、笠木取付部材６０のベース部６１の上面に載置されるようになっている。これにより、束部材４が補強部材５０を介して笠木取付部材６０に対して支持されることになり、束部材４に作用する荷重を、補強部材５０及び笠木取付部材６０を介して、躯体２１（パラペット２）に対して確実に伝達させることができる。そして、これにより、束部材４の基端部が躯体２１（パラペット２）に対してしっかりと支持されることになり、束部材４の傾きを抑制することが可能となる。このようにして、補強部材５０によって、束部材４の躯体２１（パラペット２）に対する固定を補強することが可能となる。
【００４５】
また、図４に示すごとく、笠木取付部材６０に対し笠木部材３を固定した状態において、笠木取付部材６０の立設部６２の上端部６２ａは、笠木部材３の裏側天面３ａの略中央部に当接し得るように構成されている。これにより、笠木部材３の幅方向中央部が、笠木取付部材６０の立設部６２によって下側から支持されるとともに、上方に押し上げられる状況となっている。また、補強部材５０の板面部５１についても、笠木部材３の裏側天面３ａに広い範囲で当接することにより、笠木部材３が下側から支持されるとともに、上方に押し上げられる構成とすることも可能である。
【００４６】
そして、図５（ａ）に示すごとく、笠木部材３の幅方向中央部が、笠木取付部材６０の立設部６２によって上方に押し上げられることにより、笠木部材３の幅方向中央部には、上向き荷重Ｆ１が作用することになる。一方で、笠木部材３の突条部３３・３４は、その係合部が側部係合部６３・６４の係合凹部に係合して下側へと引っ張られることとなるため、笠木部材３の突条部３３・３４の部位において、下向き荷重Ｆ２・Ｆ３が作用することになる。
【００４７】
このように、図５（ａ）に示すごとく、笠木部材３について、上向き荷重Ｆ１と下向き荷重Ｆ２・Ｆ３が作用することにより、笠木部材３について、幅方向に広がるテンションＴが付与された状況となって、外部から受ける荷重による笠木部材３の撓み（変形）が抑制されることになる。また、笠木取付部材６０と笠木部材３の間でのズレの発生が規制され、笠木取付部材６０に対して笠木部材３が、所謂遊びの無い状態で固定された状態となる。
【００４８】
そして、これにより、図５（ａ）に示すごとく、束部材４について、正立した状態から傾く方向に荷重が作用した場合であっても、笠木部材３の変形やズレの発生が抑制されることから、束部材４の正立状態を確実に維持することが可能となる。つまり、図示せぬ手摺を人がつかむことや、よりかかることなどによって、束部材４が傾く方向に荷重が作用した場合であっても、束部材４の傾きが規制され、正立状態がしっかりと維持されるため、パラペットの上縁部において、全体として剛性の強い手摺を実現することが可能となる。また、これにより、需要者にとって、強い安心感を与えることが可能な手摺を提供することが可能となる。また、笠木部材３の変形や束部材４の傾きが抑制されるため、耐久性を向上させることが可能となり、ひいては、耐用年数の増加によってエコロジーな構成を実現することが可能となる。
【００４９】
また、図５（ａ）に示すごとく、補強部材５０の上面によって笠木部材３の裏側天面３ａが支えられることによっても、笠木部材３の変形やズレの発生を抑制する効果を補強することが可能となる。
【００５０】
また、図５（ｂ）に示す構成は、束部材や手摺部材が設けられず、また、これに伴って、補強部材５０が使用されない形態とするものであるが、このような形態においても、図５（ａ）の構成と同様の効果を得ることが可能となる。即ち、パラペット２（躯体２１）の上縁部に笠木部材３のみが設けられる形態においても、図５（ａ）の構成と同様に、笠木部材３の変形やズレの発生を抑制することができる。この図５（ｂ）の形態では、需要者が直接的に笠木部材３に手を触れることが想定され、笠木部材３に直接的に力が作用することになるが、この際に、笠木部材３の変形やズレの発生が抑制されるため、需要者に強い安心感を与えることが可能となる。また、笠木部材３の変形が抑制されるため、耐久性を向上させることが可能となり、ひいては、耐用年数の増加によってエコロジーな構成を実現することが可能となる。
【００５１】
加えて、笠木部材に束部材や手摺が設けられる形態においても、例えば、束部材の長さが短い場合には、補強の必要性が低くなるので、補強部材を設けない実施形態を採用してもよい。つまり、例えば、図４に示す構成において、束部材４の長さが短く、笠木部材から手摺までの寸法が小さければ、補強部材を省略した場合でも、十分な強度が維持できるため、補強部材を省略することも考えられるのである。補強部材の使用の有無を決める束部材の長さは特に限定されるものでなく、各部材の強度や施工現場において求められる仕様に応じ、補強部材の使用の有無を適宜選定すればよい。
【００５２】
また、図５（ｂ）に示される形態の応用として、図６（ａ）（ｂ）に示される笠木部材３Ａ・３Ｂとすることも考えられる。
図６（ａ）の笠木部材３Ａについては、笠木本体部９１からカーブを描くように立ち上がる壁部９２と、壁部９２の先端部に手指を掛けるための湾曲部９３を設けるものであって、これらを一体成形により構成するものである。また、図６（ｂ）の笠木部材３Ｂについては、笠木本体部９５から真上に立ち上がる壁部９６と、壁部９６の先端部に手指を掛けるための膨らみ部９７を設けるものであって、これらを一体成形により構成するものである。
【００５３】
このように、図６（ａ）（ｂ）に示されるような笠木部材３Ａ・３Ｂの形態においても、図５（ｂ）と同様の笠木取付部材６０の形態を使用することによって、笠木部材３Ａ・３Ｂの変形を抑制する構成とすることができる。なお、笠木部材３Ａ・３Ｂにおいては、束部材や手摺を笠木部材と別体として組み立てる構成と比較すると、部品点数が少なくなり、施工性に優れた構成とすることが可能となる。また、特に、図６（ａ）の構成の場合には、壁部９２のカーブについて、上側に行くほど室外側に向かうカーブとすることで、笠木部材３Ａについて室外側から手を掛けにくくなることとなるため、不審者の室外側からの侵入防止の機能として捉えることも可能である。
【００５４】
さらに、図７に示すごとく、補強部材を一体的に備える笠木取付部材６０Ｍの実施形態とすることも考えられる。この構成では、笠木取付部材６０Ｍに対して上述の補強部材の部位（補強用部位５０Ｍ）を形設することとし、笠木取付部材６０Ｍと笠木部材３と束部材４を一体化させた後、笠木部材３の上方から固定具５８・５８をパラペット２（躯体２１）に締結することで、笠木取付部材６０Ｍがパラペット２（躯体２１）固定される。また、この構成の場合、予め、笠木取付部材６０Ｍ、笠木部材３、束部材４などを工場などで一体化することが可能となり、施工性に優れた構成とすることが可能となる。また、補強部材が笠木取付部材６０Ｍに一体化された構成となるため、部品点数を少なくすることが可能となる。
【００５５】
以上のようにして本発明を実施することが可能となる。
即ち、図２乃至図４に示すごとく、
笠木部材３を躯体２１（パラペット２）などの被固定体に固定するための笠木取付部材６０であって、
前記笠木取付部材６０は、
前記笠木部材３に設けられる束部材４の前記被固定体に対する固定を補強するための補強部材５０（図２）が載置され得る構成とする、
ものである。
【００５６】
この構成によれば、図２に示すごとく、笠木取付部材６０と補強部材５０を同じ箇所に設けることが可能となる、つまりは、笠木部材３の長手方向において両者をずらした位置に配置する必要が無くなるため、補強部材の両側に笠木取付部材を設置する形態と比較して、笠木取付部材の設置個数を抑えることが可能となる。
【００５７】
また、図２及び図３に示すごとく、
前記笠木取付部材６０は、
前記笠木部材３に前記束部材４が設けられる場合において、
前記補強部材５０が載置された状態で前記笠木部材３が固定される、
或いは、
前記補強部材５０が載置されずに前記笠木部材３が固定される、ことを選択的に可能とする構成とするとともに、
前記笠木部材３に前記束部材４が設けられない場合において、
前記補強部材５０が載置されずに前記笠木部材３が固定される構成とする、
こととするものである。
【００５８】
この構成によれば、笠木部材に束部材や手摺が設けられる形態と、設けられない形態、の両方の形態に対応可能な笠木取付部材を実現することができる。また、笠木部材に束部材や手摺が設けられる形態においても、例えば、束部材の長さが短い場合には、補強の必要性が低くなるので、補強部材を設けない実施形態を採用してもよい。
【００５９】
また、図７に示すごとく、
笠木部材３を躯体２１（パラペット２）などの被固定体に固定するための笠木取付部材６０であって、
前記笠木取付部材６０は、
前記笠木部材３の前記被固定体に対する固定を補強するための補強用部位５０Ｍ（図７）が一体的に設けられる構成とする、
ものである。
【００６０】
この構成によれば、図７に示すごとく、笠木取付部材６０と補強用部位５０Ｍを同じ箇所に設けることが可能となる、つまりは、笠木部材３の長手方向において両者をずらした位置に配置する必要が無くなるため、補強部材の両側に笠木取付部材を設置する形態と比較して、笠木取付部材の設置個数を抑えることが可能となる。
【００６１】
また、図５（ａ）（ｂ）に示すごとく、
前記笠木取付部材６０は、
前記笠木部材３に対し、前記笠木部材３の幅方向にテンションＴを付与し得る構成とする、
ものである。
【００６２】
この構成によれば、図５（ａ）（ｂ）に示すごとく、外部から受ける荷重による笠木部材３の撓み（変形）が抑制されることになる。また、笠木取付部材６０と笠木部材３の間でのズレの発生が規制され、笠木取付部材６０に対して笠木部材３が、所謂遊びの無い状態で固定された状態とすることができる。
【００６３】
そして、図５（ａ）に示すごとく、手摺が設けられる場合には、束部材４の傾きが規制され、正立状態がしっかりと維持されるため、パラペットの上縁部において、全体として剛性の強い手摺を実現することが可能となり、需要者にとって、強い安心感を与えることが可能な手摺を提供することが可能となる。また、笠木部材３の変形や束部材４の傾きが抑制されるため、耐久性を向上させることが可能となり、ひいては、耐用年数の増加によってエコロジーな構成を実現することが可能となる。
【００６４】
また、図５（ｂ）に示すごとく、手摺が設けられない場合においても、需要者が直接的に笠木部材３に手を触れることが想定され、笠木部材３に直接的に力が作用することになるが、この際に、笠木部材３の変形やズレの発生が抑制されるため、需要者に強い安心感を与えることが可能となる。
【００６５】
また、図３乃至図５（ａ）（ｂ）に示すごとく、
前記笠木取付部材６０は、
前記被固定体に設置されるベース部６１と、
前記ベース部６１の幅方向の中途部に設けられる立設部６２と、
前記ベース部６１において前記立設部６２の両側において、前記立設部６２と間隔を開けて設けられる側部係合部６３・６４と、
を有する構成とし、
前記立設部６２が前記笠木部材３の裏側天面３ａに当接することにより、前記笠木部材３の幅方向中途部に上向き荷重Ｆ１が付与され、
前記側部係合部６３・６４が前記笠木部材３の突条部３３・３４に係合することにより、前記笠木部材３の幅方向側部に下向き荷重Ｆ２・Ｆ３が付与される、
こととするものである。
【００６６】
この構成により、前記笠木部材３に対し、前記笠木部材３の幅方向にテンションＴを付与することが可能となって、外部から受ける荷重による笠木部材３の撓み（変形）が抑制されることになる。
【００６７】
また、図２に示すごとく、
笠木部材３を被固定体に固定するための笠木部材３の固定構造であって、
前記笠木部材３は、前記被固定体に固定される笠木取付部材６０に固定されるものであって、
前記笠木部材３に手摺を横架するための束部材４が設けられる場合に、
前記束部材４に作用する荷重を、笠木取付部材６０に伝達するための補強部材５０が設けられる、
或いは、
前記笠木部材３に手摺を横架するための束部材が設けられる場合であっても、
前記補強部材５０が設けられない、
ことを選択的に可能とする構成とする、
こととするものである。
【００６８】
これにより、図４に示すごとく、前記束部材４に作用する荷重を、前記補強部材５０及び笠木取付部材６０を介して、躯体２１（パラペット２）に対して確実に伝達させることができる。そして、これにより、束部材４の基端部が躯体２１（パラペット２）に対してしっかりと支持されることになり、束部材４の傾きを抑制することが可能となる。このようにして、補強部材５０によって、束部材４の躯体２１（パラペット２）に対する固定を補強することが可能となる。また、手摺や束部材が設けられない場合には、補強部材５０を使用しないこととすることで、笠木部材３の固定において使用する部品点数を少なくすることができる。また、笠木部材に束部材や手摺が設けられる形態においても、例えば、束部材の長さが短い場合には、補強の必要性が低くなるので、補強部材を設けない実施形態を採用してもよい。
【産業上の利用可能性】
【００６９】
本発明は、バルコニーの壁（パラペット）の上縁部、建物屋上の壁（パラペット）の上縁部、屋外階段の壁（パラペット）の上縁部など、様々な箇所において実施することが可能である。
【符号の説明】
【００７０】
１    バルコニー
２    パラペット
３    笠木部材
４    束部材
５    手摺部材
２１    躯体
２２    上面
３３    突条部
３４    突条部
３３ａ    係合部
３４ａ    係合部
４１    スペーサー
５０    補強部材
５１    板面部
５２    貫通孔部
５３    脚部
５４    脚部
６０    笠木取付部材
６１    ベース部
６２    立設部
６３    側部係合部
６４    側部係合部
６３ａ    係合凹部
６４ａ    係合凹部
Ｆ１    上向き荷重
Ｆ２    下向き荷重
Ｆ３    下向き荷重
Ｔ    テンション
【図１】
2012140792.tif 000003
【図２】
2012140792.tif 000004
【図３】
2012140792.tif 000005
【図４】
2012140792.tif 000006
【図５】
2012140792.tif 000007
【図６】
2012140792.tif 000008
【図７】
2012140792.tif 000009